(57)【特許請求の範囲】
【請求項１】
走行するウェブに蒸気を吹き付ける加湿装置であって、走行する前記ウェブに対向する面側に複数の蒸気吹出し孔を有する蒸気吹出しボックスを備え、該蒸気吹出しボックス内は前記ウェブの幅方向に隔壁で仕切られた複数の蒸気吹出し室に形成され、前記各蒸気吹出し室にはその内部に蒸気を供給する蒸気取入れ口がそれぞれ設けられ、また前記各蒸気吹出し室の下部には結露水を排出するドレン抜き口がそれぞれ設けられ、更に、前記蒸気吹出しボックスには前記蒸気吹出し孔を設けている部分を除いて外周に加熱による結露防止手段が設けられており、前記蒸気吹出しボックス内に隔壁で仕切られて形成されている各蒸気吹出し室に設けられたドレン抜き口は、蒸気吹出し室の仕切り方向両側近傍に位置してそれぞれ少なくとも２個設けられていることを特徴とする加湿装置。
【請求項２】
前記加熱による結露防止手段は、前記蒸気吹出しボックスに前記蒸気吹出し孔を設けている部分を除いて加熱ジャケットを被せ、前記加熱ジャケット内を一端側から他端側に向かって仕切り壁で仕切って往路蒸気通路と復路蒸気通路を形成し、前記加熱ジャケットの一端側の往路蒸気通路側壁に加熱蒸気流入口を開口させるとともに同端側の復路蒸気通路側壁に加熱蒸気排出口を開口させて設け、前記仕切り壁の加熱ジャケットの他端側には往路蒸気通路と復路蒸気通路を連通する連通口を設けてなることを特徴とする請求項１に記載の加湿装置。
【発明の詳細な説明】
【０００１】
【発明の属する技術分野】
本発明は、走行するウェブに蒸気を吹き付ける加湿装置に関するものである。
【０００２】
【従来の技術】
紙製造、フィルム製造等の工程で、製造されるウェブの内部応力を除去しカールの発生を防止するために、走行するウェブに蒸気を吹き付ける加湿装置が使用されている。かかる加湿装置として、走行する前記ウェブに対向する面側に複数の蒸気吹出し孔を有する蒸気吹出しボックスを備え、この蒸気吹出しボックスに蒸気を供給して各蒸気吹出し口から蒸気を噴出させて走行するウェブに吹き付けるようにしたものが知られている。
【０００３】
【発明が解決しようとする課題】
前記紙製造、フィルム製造等の工程で製造されるウェブのうち、例えば、紙製造の工程で製造されるウェブの場合、紙或いは原紙に塗工液を塗工する塗工紙において、抄紙或いは塗工後に、紙（ウェブ）に加湿装置により蒸気を吹き付けることが行われるが、このとき、蒸気に混じって水滴が吹き付けられると、水滴が紙に付着して紙に跡が残り、品質不良が発生してしまう場合がある。このため、水滴の付着をできるだけ避けることが望まれている。
【０００４】
しかし、前記従来の加湿装置では、積極的に蒸気吹出しボックス内での結露水の発生を防止する手段が講じられておらず、また、蒸気吹出しボックス内で発生した結露水を排出するドレン抜き手段はあるものの、効率よく排出できるものとはなっていない。このため、蒸気吹出しボックス内で発生した結露水が蒸気と一緒に蒸気吹出し口から噴出し、走行するウェブに吹き付けられ、水滴が紙に付着して紙に跡が残り、品質不良が発生してしまう場合があるといった問題点があった。
【０００５】
本発明の目的は、蒸気吹出しボックス内での結露水の発生を良好に防止し、或いは極力少なくするとともにドレン抜き機能を効率よく発揮させるようにした加湿装置を提供することにある。
【０００６】
【課題を解決するための手段】
前記目的を達成するために、請求項１に記載の発明は、走行するウェブに蒸気を吹き付ける加湿装置であって、走行する前記ウェブに対向する面側に複数の蒸気吹出し孔を有する蒸気吹出しボックスを備え、該蒸気吹出しボックス内は前記ウェブの幅方向に隔壁で仕切られた複数の蒸気吹出し室に形成され、前記各蒸気吹出し室にはその内部に蒸気を供給する蒸気取入れ口がそれぞれ設けられ、また前記各蒸気吹出し室の下部には結露水を排出するドレン抜き口がそれぞれ設けられ、更に、前記蒸気吹出しボックスには前記蒸気吹出し孔を設けている部分を除いて外周に加熱による結露防止手段が設けられており、前記蒸気吹出しボックス内に隔壁で仕切られて形成されている各蒸気吹出し室に設けられたドレン抜き口は、蒸気吹出し室の仕切り方向両側近傍に位置してそれぞれ少なくとも２個設けられていることを特徴とする。
【０００７】
かかる構成から、前記蒸気吹出しボックスには前記蒸気吹出し孔を設けている部分を除いて外周に加熱による結露防止手段が設けられているので、蒸気吹出しボックスは結露防止手段によりその外周が加熱され、これにより蒸気吹出しボックス内に供給された蒸気が蒸気吹出しボックスを通して低温の外気と熱交換して結露することが防止されることになり、蒸気吹出しボックス内での結露水の発生を良好に防止し、或いは極力少なくすることができ、また、蒸気吹出しボックスの各蒸気吹出し孔の周囲で発生した結露水や、蒸気吹出しボックス内での蒸気の飽和により発生した結露水は、蒸気吹出しボックスの内壁を伝わって蒸気吹出しボックスの下部に流下し、各蒸気吹出し室の下部に設けられたドレン抜き口から排出されるが、このドレン抜き口は、蒸気吹出しボックス内を前記ウェブの幅方向に隔壁で仕切って形成された複数の蒸気吹出し室にそれぞれ設けられているので、結露水を効果的に排出することができることになり、蒸気吹出し孔からの水滴の噴出を良好に防ぐことができる。そして、前記蒸気吹出しボックス内に隔壁で仕切られて形成されている各蒸気吹出し室に設けられたドレン抜き口が、蒸気吹出し室の仕切り方向両側近傍に位置してそれぞれ少なくとも２個設けられているので、走行する前記ウェブに対向するように配置された蒸気吹出しボックスが前記ウェブの幅方向のいずれかの側に傾斜していても、蒸気吹出しボックスの内壁を伝わって蒸気吹出しボックスの下部に流下した結露水は蒸気吹出し室の仕切り方向両側近傍に位置してそれぞれ設けられているいずれかのドレン抜き口から排出されることになり、結露水をより良好に排出することができ、蒸気吹出しボックスの下部に流下した結露水が蒸気吹出しボックスの下部に溜まることがなくなるので、これにより、蒸気吹出し孔からの水滴の噴出を一層良好に防ぐことができる。
【００１０】
請求項２に記載の発明は、前記請求項１に記載の前記加熱による結露防止手段が、前記蒸気吹出しボックスに前記蒸気吹出し孔を設けている部分を除いて加熱ジャケットを被せ、前記加熱ジャケット内を一端側から他端側に向かって仕切り壁で仕切って往路蒸気通路と復路蒸気通路を形成し、前記加熱ジャケットの一端側の往路蒸気通路側壁に加熱蒸気流入口を開口させるとともに同端側の復路蒸気通路側壁に加熱蒸気排出口を開口させて設け、前記仕切り壁の加熱ジャケットの他端側には往路蒸気通路と復路蒸気通路を連通する連通口を設けてなることを特徴とする。
【００１１】
かかる構成から、加熱ジャケットの一端側に開口する加熱蒸気流入口から加熱ジャケット内に蒸気を供給すると、蒸気は加熱ジャケットの一端側から往路蒸気通路を通り他端側へ流れ、加熱ジャケットの他端側に設けた連通口を通って復路蒸気通路に流れ、加熱ジャケットの一端側に開口する加熱蒸気排出口から排出されることになり、蒸気吹出しボックスは前記加熱ジャケットの往路蒸気通路と復路蒸気通路を流れる蒸気により全体が万遍なく加熱され、これにより蒸気吹出しボックス内に供給された蒸気への外気による冷却が防止されるので、蒸気吹出しボックス内における結露水の発生を良好に防止することができる。又、結露防止手段となる加熱手段として蒸気を使用しているので、この蒸気として蒸気吹出しボックス内に供給される蒸気を共用することができ、加熱手段の低コスト化を図ることができる。
【００１２】
【発明の実施の形態】
図面は本発明に係る加湿装置の実施の形態の一例を示すもので、図１は本例の一部切欠斜視図、図２は図１の拡大縦断面図、図３は図１の加熱ジャケットに形成された往路蒸気通路と復路蒸気通路の部分を示す横断面図、図４は図１の蒸気吹出しボックスと加熱ジャケットの部分を示す横断面図である。
【００１３】
図において、１は加湿装置を構成する蒸気吹出しボックスである。この蒸気吹出しボックス１はウェブ２の幅と概ね同じ長さを持つ長尺の密閉筒状体からなり、前記蒸気吹出しボックス１には、走行する前記ウェブ２に対向する面側に複数の蒸気吹出し孔３を有しており、ウェブ２と所定の間隔をあけて配置されている。前記蒸気吹出しボックス１内は長さ方向、即ち、前記ウェブ２の幅方向に隔壁４で仕切られた複数の蒸気吹出し室５に形成されている。この蒸気吹出し室５の数にあっては特に限定されるものではないが、後述するドレン抜き口からの結露水の良好な排出を得るために３室以上であることが好ましい。本例では３つの蒸気吹出し室５Ａ，５Ｂ，５Ｃが形成されている。
【００１４】
前記各蒸気吹出し室５Ａ，５Ｂ，５Ｃにはその内部に蒸気を供給する蒸気取入れ口６がそれぞれ設けられている。この蒸気取入れ口６は、いずれも各蒸気吹出し室５Ａ，５Ｂ，５Ｃのほぼ中央に前記蒸気吹出し孔３方向に向けて開口している。そして、それぞれの蒸気取入れ口６には、後述する結露防止手段となる加熱ジャケットを貫通して蒸気供給パイプ７が接続されている。また前記各蒸気吹出し室５Ａ，５Ｂ，５Ｃの下部には結露水を排出するドレン抜き口８がそれぞれ設けられている。本例では、前記ドレン抜き口８は、各蒸気吹出し室５Ａ，５Ｂ，５Ｃの仕切り方向両側の隔壁に接近した位置に、それぞれ１個づつ少なくとも２個設けられている。前記それぞれのドレン抜き口８には、後述する結露防止手段となる加熱ジャケットを貫通してドレン排出パイプ９が接続されている。
【００１５】
更に、前記蒸気吹出しボックス１には前記各蒸気吹出し孔３を設けている部分を除いて外周に加熱による結露防止手段１０が設けられている。結露防止手段１０としては、蒸気吹出しボックス１の外周を加熱できるものであれば特に限定されるものではない。本例では結露防止手段１０として、前記蒸気吹出しボックス１に前記蒸気吹出し孔３を設けている部分を除いて加熱ジャケット１１を被せ、前記加熱ジャケット１１内を一端側から他端側に向かって仕切り壁１２で仕切って往路蒸気通路１３と復路蒸気通路１４を形成し、前記加熱ジャケット１１の一端側の往路蒸気通路１３側の壁に加熱蒸気流入口１５を開口させるとともに同端側の復路蒸気通路１４側の壁に加熱蒸気排出口１６を開口させて設け、前記仕切り壁１２の加熱ジャケット１１の他端側には往路蒸気通路１３と復路蒸気通路１４を連通する連通口１７を設けた構成となっている。前記加熱蒸気流入口１５には加熱蒸気供給パイプ１８が接続され、そして、加熱蒸気排出口１６には、加熱蒸気排出パイプ１９が接続されている。
【００１６】
このように構成された本例の加湿装置によれば、蒸気吹出しボックス１の蒸気吹出し孔３からの蒸気の噴出に先立ち、先ず、結露防止手段１０により蒸気吹出しボックス１を外周から十分に加熱した状態にしてから、それぞれの蒸気取入れ口６から各蒸気吹出し室５Ａ，５Ｂ，５Ｃ内に蒸気を供給すると、蒸気吹出しボックス１の各蒸気吹出し室５Ａ，５Ｂ，５Ｃ内に供給された蒸気が蒸気吹出しボックス１を通して低温の外気と熱交換して結露することが防止されることになり、蒸気吹出しボックス１内での結露水の発生を良好に防止し、或いは極力少なくすることができる。
【００１７】
前記結露防止手段１０として、本例では前記蒸気吹出しボックス１に前記蒸気吹出し孔３を設けている部分を除いて加熱ジャケット１１を被せ、前記加熱ジャケット１１内を一端側から他端側に向かって仕切り壁１２で仕切って往路蒸気通路１３と復路蒸気通路１４を形成し、前記加熱ジャケット１１の一端側の往路蒸気通路１３側の壁に加熱蒸気流入口１５を開口させるとともに同端側の復路蒸気通路１４側の壁に加熱蒸気排出口１６を開口させて設け、前記仕切り壁１２の加熱ジャケット１１の他端側には往路蒸気通路１３と復路蒸気通路１４を連通する連通口１７を設けた構成としてあるので、加熱蒸気流入口１５から加熱ジャケット１１内に蒸気を供給すると、蒸気は加熱ジャケット１１の一端側から往路蒸気通路１３を通り他端側へ流れ、加熱ジャケット１１の他端側に設けた連通口１７を通って復路蒸気通路１４に流れ、加熱蒸気排出口１６から排出されることになり、蒸気吹出しボックス１は前記加熱ジャケット１１の往路蒸気通路１３と復路蒸気通路１４を流れる蒸気により全体が万遍なく加熱され、これにより蒸気吹出しボックス１内に供給された蒸気への外気による冷却が防止されるので、蒸気吹出しボックス１内における結露水の発生を良好に防止することができ、又、加熱手段として蒸気を使用しているので、この蒸気として蒸気吹出しボックス１内に供給される蒸気を共用することができ、加熱手段の低コスト化を図ることができる。
【００１８】
しかし、前記結露防止手段１０により結露を完全に防止できるものではなく、蒸気吹出しボックス１の各蒸気吹出し孔３の周囲の結露水の発生や、また、蒸気吹出しボックス１内での蒸気の飽和により結露水の発生は避けられない。前記発生した結露水は、蒸気吹出しボックス１の内壁を伝わって蒸気吹出しボックス１の下部に流下し、ドレン抜き口８から排出されるが、このドレン抜き口８は、蒸気吹出しボックス１内を前記ウェブの幅方向に隔壁４で仕切って形成された複数の蒸気吹出し室５Ａ，５Ｂ，５Ｃにそれぞれ設けられているので、結露水を効果的に排出することができることになり、結果として蒸気吹出し孔３からの水滴の噴出を良好に防ぐことができる。
【００１９】
更にまた、本例では前記各蒸気吹出し室５Ａ，５Ｂ，５Ｃに設けられたドレン抜き口８が、蒸気吹出し室５Ａ，５Ｂ，５Ｃの仕切り方向両側の隔壁４に接近した位置に、それぞれ１個づつ少なくとも２個設けられているので、走行する前記ウェブ２に対向するように配置された蒸気吹出しボックス１が前記ウェブ２の幅方向のいずれかの側に傾斜していても、蒸気吹出しボックス１の内壁を伝わって蒸気吹出しボックス１の下部に流下した結露水は蒸気吹出し室５Ａ，５Ｂ，５Ｃの仕切り方向両側の隔壁４に接近した位置に、それぞれ設けられているいずれかのドレン抜き口８から排出されるので、結露水をより良好に排出することができ、蒸気吹出しボックス１の下部に流下した結露水が蒸気吹出しボックス１の下部に溜まることがなくなるので、これにより、蒸気吹出し孔３からの水滴の噴出を一層良好に防ぐことができることになる。
【００２０】
【発明の効果】
以上のように本発明に係る加湿装置によれば、前記蒸気吹出しボックスには前記各蒸気吹出し孔を設けている部分を除いて外周に加熱による結露防止手段が設けられているので、蒸気吹出しボックスは結露防止手段によりその外周が加熱され、これにより蒸気吹出しボックス内に供給された蒸気が蒸気吹出しボックスを通して低温の外気と熱交換して結露することが防止されることになり、蒸気吹出しボックス内での結露水の発生を良好に防止し、或いは極力少なくすることができ、また、蒸気吹出しボックスの蒸気吹出し孔の周囲で発生した結露水や、蒸気吹出しボックス内での蒸気の飽和により発生した結露水は、下部に設けられたドレン抜き口から排出されるが、このドレン抜き口は、蒸気吹出しボックス内を前記ウェブの幅方向に隔壁で仕切って形成された複数の蒸気吹出し室にそれぞれ設けられているので、結露水を効果的に排出することができることになり、蒸気吹出し孔からの水滴の噴出を良好に防ぐことができることから、特に、紙製造の工程で製造されるウェブに蒸気を吹き付ける加湿装置として最適である。
【図面の簡単な説明】
【図１】本発明に係る加湿装置の実施の形態の一例を示す一部切欠斜視図。
【図２】図１の拡大縦断面図。
【図３】図１の加熱ジャケットに形成された往路蒸気通路と復路蒸気通路の部分を示す横断面図。
【図４】図１の蒸気吹出しボックスと加熱ジャケットの部分を示す横断面図。
【符号の説明】
１  蒸気吹出しボックス
２  ウェブ
３  蒸気吹出し孔
４  隔壁
５，５Ａ，５Ｂ，５Ｃ  蒸気吹出し室
６  蒸気取入れ口
７  蒸気供給パイプ
８  ドレン抜き口
９  ドレン排出パイプ
１０  結露防止手段
１１  加熱ジャケット
１２  仕切り壁
１３  往路蒸気通路
１４  復路蒸気通路
１５  加熱蒸気流入口
１６  加熱蒸気排出口
１７  連通口
１８  加熱蒸気供給パイプ
１９  加熱蒸気排出パイプ
【図１】
0003895627.tif 000002
【図２】
0003895627.tif 000003
【図３】
0003895627.tif 000004
【図４】
0003895627.tif 000005